(57)【要約】【課題】部品点数や組付工数が削減され、構成の簡素化や薄型化を実現することができ、光源基板の交換作業も容易に行うことが可能となる表示装置を提供する。【解決手段】表示装置１０は、前面側が開口した本体１１と、該本体１１の前面側に開閉可能に設けられる前面扉２０とを備える。前面扉２０は、表側に配される表示板４０と、該表示板４０の裏側に沿わせる光源基板３０と、該光源基板３０を支持する取付枠２１とを備える。取付枠２１の内周縁側に、光源基板３０の外周縁側を前方から係合させて、光源基板３０を表示板４０の裏側に沿わせる位置に支持する支持部２４を設けた。【選択図】図１
2020181130.tif 000002
【特許請求の範囲】
【請求項１】
情報を表示可能な表示装置において、
前面側が開口した本体と、該本体の前面側に開閉可能に設けられる前面扉と、を備え、
前記前面扉は、表側に配される表示板と、該表示板の裏側に沿わせる光源基板と、該光源基板を支持する取付枠と、を備え、
前記取付枠の内周縁側に、前記光源基板の外周縁側を前方から係合させて、前記光源基板を前記表示板の裏側に沿わせる位置に支持する支持部を設けたことを特徴とする表示装置。
【請求項２】
前記支持部は、前記取付枠の内周縁側に沿って前記光源基板の外周縁側を囲む位置に複数設けられ、
前記光源基板は、前記各支持部に対して、外周縁側の裏面がスペーサーを介して係合された状態に支持されることを特徴とする請求項１に記載の表示装置。
【請求項３】
前記各スペーサーのうち少なくとも何れか１つの全部または一部は、前記光源基板の外周縁側の裏面に対して着脱可能であり、該スペーサーの全部または一部を取り外した状態で、前記光源基板を前記取付枠の内周縁側より位置をずらして後方から着脱可能としたことを特徴とする請求項２に記載の表示装置。
【請求項４】
前記表示板は、前記取付枠の外周縁側に前方から支持され、
前記表示板の外周縁側に被せた状態で、前記取付枠の外周縁側に前方から組み付ける開口枠を備えたことを特徴とする請求項１，２または３に記載の表示装置。
【請求項５】
前記本体の開口周縁に、該開口周縁の周囲からの水を切り返して内部への進入を防ぐ水切り部が設けられ、
前記水切り部は、前記表示板の外周縁側を後方から支持する前記取付枠の外周縁側に対して後方から当接させる当接部を備え、
前記開口枠の開口周縁が前記表示板の表面に重なる位置を、少なくとも前記当接部と対向する部位まで含ませたことを特徴とする請求項４に記載の表示装置。
【発明の詳細な説明】
【技術分野】
【０００１】
本発明は、情報を表示可能な表示装置に関する。
【背景技術】
【０００２】
従来より、表示装置として、例えば外郭フレーム（取付枠）の表側に透光性のある樹脂カバー（表示板）を取り付け、樹脂カバーの裏側に数多のＬＥＤを実装した基板（光源基板）を沿わせたものが知られている（例えば特許文献１参照）。ここで基板は外郭フレームに対して、外郭フレームの裏側に取り付けた金属製の裏板にさらに保持具を介して支持されていた。
【０００３】
この種の表示装置は、例えば図１７に示すように、前面側が開口した箱状の本体１の前面扉２として構成されたものが知られている。すなわち、前面扉２では、その取付枠３の表側に図示省略したが透光性のある表示板を取り付け、表示板の裏側に光源基板４を沿わせるように支持する。ここで光源基板４は、取付枠３の後方から取付金具５を介して支持されていた。一般に取付金具５は、光源基板５の背面両端に固定する上下に延びた一対の部材である。
【先行技術文献】
【特許文献】
【０００４】
【特許文献１】特開２００６−３３７８０７号公報
【発明の概要】
【発明が解決しようとする課題】
【０００５】
しかしながら、上記した従来の表示装置では、何れの構成であっても、光源基板を取付枠に支持するために、金属製の裏板や一対の取付金具など嵩張る大きさの別部品が必要であった。そのため、表示装置全体の部品点数が多くなり、組付工数も増えるだけでなく、構成の簡素化や薄型化の要望に応じることが困難であった。さらに、光源基板の交換作業も煩雑となり面倒であった。
【０００６】
本発明は、以上のような従来の技術の有する問題点に着目してなされたものであり、取付枠に対して光源基板を簡易な構成で容易に支持することが可能であり、部品点数や組付工数が削減され、構成の簡素化や薄型化を実現することができ、光源基板の交換作業も容易に行うことが可能となる表示装置を提供することを目的とする。
【課題を解決するための手段】
【０００７】
上記目的を達成するため、本発明の一態様は、情報を表示可能な表示装置において、前面側が開口した本体と、該本体の前面側に開閉可能に設けられる前面扉と、を備え、前記前面扉は、表側に配される表示板と、該表示板の裏側に沿わせる光源基板と、該光源基板を支持する取付枠と、を備える。前記取付枠の内周縁側に、前記光源基板の外周縁側を前方から係合させ、前記光源基板を前記表示板の裏側に沿わせる位置に支持する支持部を設けた。
【発明の効果】
【０００８】
本発明に係る表示装置によれば、部品点数や組付工数が削減され、構成の簡素化や薄型化を実現することができ、光源基板の交換作業も容易に行うことが可能となる。
【図面の簡単な説明】
【０００９】
【図１】実施形態に係る表示装置を前方から見た分解斜視図である。
【図２】実施形態に係る表示装置を後方から見た分解斜視図である。
【図３】実施形態に係る表示装置を前方から見た斜視図である。
【図４】実施形態に係る表示装置を後方から見た斜視図である。
【図５】実施形態に係る表示装置の前面扉を開いた状態を示す斜視図である。
【図６】図５のVI−VI線断面図である。
【図７】実施形態に係る表示装置の正面図である。
【図８】実施形態に係る表示装置の背面図である。
【図９】実施形態に係る表示装置の右側面図である。
【図１０】実施形態に係る表示装置の左側面図である。
【図１１】実施形態に係る表示装置の平面図である。
【図１２】図７のXII−XII線拡大断面図である。
【図１３】図７のXIII−XIII線拡大断面図である。
【図１４】実施形態に係る表示装置の取付枠に光源基板を支持する状態を前方から見た斜視図（ａ）と後方から見た斜視図（ｂ）である。
【図１５】実施形態に係る表示装置の取付枠に光源基板を支持した後の状態を前方から見た斜視図（ａ）と後方から見た斜視図（ｂ）である。
【図１６】実施形態に係る表示装置の取付枠から光源基板を取り外す一連の作業を説明する縦断面図（ａ）〜（ｃ）である。
【図１７】従来の表示装置の要部を示す分解斜視図である。
【発明を実施するための形態】
【００１０】
以下、図面に基づき本発明を代表する実施形態を説明する。
図１〜図１６は、一実施形態を示している。
本実施形態に係る表示装置１０は、各種の情報を表示可能なものであり、前面側が開口した本体１１と、該本体１１の前面側に開閉可能に設けられる前面扉２０と、を備えている。以下、本実施形態では、表示装置１０を縦長となる姿勢で使用する場合について説明するが、表示装置１０は横長となる姿勢でも使用可能に構成されている。
【００１１】
＜表示装置１０の概要＞
Ａ．本体１１について
図１に示すように、本体１１は、表示装置１０の土台となるものである。本体１１は、例えば前面が長方形に開口した底浅な箱状であり金属等で形成されている。本体１１は、その内部の底をなす背面部１１１の４辺より、所定高さで立ち上がる周壁として上面部１１２、下面部１１３、および両側面部１１４，１１５を備えている。
【００１２】
各周面部１１２〜１１５の端縁が連なる開口周縁に沿って、該開口周縁の周囲からの水を切り返して内部への侵入を防ぐ水切り部１２が設けられている。表示装置１０を屋外で使用する場合は防水性を保つ必要があるが、前面扉２０を閉じたとき、水切り部１２によって本体１１の内部の防水性は確保される。
【００１３】
図１２に示すように、水切り部１２は、開口周縁の四方より開口内側に向かい所定幅で開口面と平行に延出した後、より短い一定幅で立ち上がり、その最外縁がさらに短い幅だけフランジ状に開口外側に向かい開口面と平行に折り返されて形成されている。ここで水切り部１２の最外縁をなすフランジ状の部位は、後述する前面扉２０の取付枠２１の外周縁側に当接させる当接部１２１として設けられている。なお、当接部１２１は、取付枠２１の外周縁側の裏側に直に当接させるよりも、後述するパッキン６１を介して当接させると良い。
【００１４】
本体１１は、その内部に制御基板や電源基板等の関連部品１６，１７を収納するスペースを備えている。関連部品１６，１７は、例えばネジ等の固定手段によって本体１１内部で背面部１１１に固定される。なお、制御基板は、光源基板３０に実装されている個々のＬＥＤの点灯を制御するものであり、各種信号を出力するコネクタ等の電子部品を備えている。
【００１５】
Ｂ．前面扉２０について
図１および図２に示すように、前面扉２０は、表示装置１０の表示部をなすものであり、本体１１の開口を開閉するように設けられている。前面扉２０は、例えば本体１１の開口に重なる長方形の板状に形成されている。前面扉２０は、その一側端がヒンジ１３を介して本体１１の一側面部１１４に開閉可能に連結されている。よって、前面扉２０は、ヒンジ１３を回動中心として、他側端を前方に向けて開くことができる。
【００１６】
前面扉２０の他側端と本体１１の他側面部１１５には、互いに合わさる状態でロックおよびロック解除が可能な周知の留め具１４が設けられている。また、図５に示すように、前面扉２０の一側端の下方には、前面扉２０を開いた状態に保持するための伸縮自在なステー１５が設けられている。ステー１５の基端は、本体１１の内部で下面部１１３上のブラケットに連結されている。一方、ステー１５の先端は、後述する取付枠２１の支持部２４Ｃにあるステー取付金具２５に連結されている。なお、ステー１５自体の構成は、一般的であるので詳細な説明は省略する。
【００１７】
このような前面扉２０は、さらに詳しく言えば、表側に配される表示板４０と、該表示板４０の裏側に沿わせる光源基板３０と、該光源基板３０を支持する取付枠２１と、該取付枠２１の外周縁側に前方から組み付ける開口枠５０と、を備えている。また、取付枠２１の外周縁側と表示板４０の外周縁側との間には、防水性を確保するためのパッキン６０が介装されている。
【００１８】
Ｃ．前面扉２０の取付枠２１について
取付枠２１は、前面扉２０の後側の枠組みをなし、光源基板３０や表示板４０を支持するものである。取付枠２１は、その内側が大きく開口した枠組み状であり金属等から形成されている。取付枠２１は、上辺部２１１、下辺部２１２、および両側辺部２１３，２１４を備えている。各辺部２１１〜２１４の内周縁をなす内周壁２２の前端縁に沿って、開口外側に向かい所定幅で開口面と平行に延出し、外周縁側をなすフランジ部２３が設けられている。
【００１９】
フランジ部２３は、後述する表示板４０や開口枠５０を取り付ける部位である。すなわち、フランジ部２３の表側に、開口枠５０と一体の表示板４０の外周縁側がパッキン６０を介して当接した状態で固定される。また、フランジ部２３の裏側には、本体１１における水切り部１２の当接部１２１が当接するが、当該部位にも、前面扉２０を閉じた際、当接部１２１が弾発的に当接して防水性を確保するパッキン６１（図１２参照）が設けられている。
【００２０】
取付枠２１の内周縁側には、光源基板３０の外周縁側を前方から係合させて、該光源基板３０を表示板４０の裏側に沿わせる位置に支持するための支持部２４Ａ，２４Ｂ，２４Ｃが設けられている。支持部２４Ａ，２４Ｂ，２４Ｃは、取付枠２１の内周壁２２の後端縁に沿って、光源基板３０の外周縁側を囲む位置に複数設けられている。
【００２１】
支持部２４Ａ，２４Ｂ，２４Ｃの数や形状および大きさは特に限定されないが、本実施形態では、両側辺部２１３，２１４に位置する内周壁２２の後端縁に、それぞれ間隔を開けて並ぶ３個の支持部２４Ｂ，２４Ａ，２４Ｂが設けられている。また、上辺部２１１と下辺部２１２に位置する内周壁２２の後端縁には、それぞれ両側方向に延びる一連の支持部２４Ｃが設けられている。なお、支持部２４Ａ，２４Ｂ，２４Ｃを総称するときは、単に支持部２４と表記する。
【００２２】
両側の支持部２４Ａ，２４Ｂは、それぞれ内周壁２２の後端縁より後方に向かい延出している。各支持部２４Ａ，２４Ｂは、水平方向断面が略Ｌ字形に形成され、光源基板３０の外周縁側を係合させる当接面（開口面と平行な面）を備え、左右で互いに対向するように配置されている。また、上下の支持部２４Ｃは、それぞれ内周壁２２の後端縁より開口内側に向かい所定幅で延出している。各支持部２４Ｃは、縦方向断面が略Ｌ字形に形成され、光源基板３０の外周縁側を係合させる当接面（開口面と平行な面）を備え、上下で互いに対向するように配置されている。
【００２３】
取付枠２１の両側中央にある支持部２４Ａは、その上下にある支持部２４Ｂに比べて、当接面が上下に２倍ほど広い幅に設定されている。これは上下の支持部２４Ｂには、後述する光源基板３０の２分割された片割れの一方のみ当接させれば足りるが、中央の支持部２４Ａには、光源基板３０の分割された片割れ同士が対接し合う双方を当接させるためである。また、取付枠２１の下端にある支持部２４Ｃは、光源基板３０の片割れの下端縁を当接させて支持する部位である。同様に、取付枠２１の上端にある支持部２４Ｃは、光源基板３０の片割れの上端縁を当接させて支持する部位である。
【００２４】
図１６に示すように、取付枠２１の両側中央にある支持部２４Ａと、上下端にある２４Ｃとは、それぞれの当接面が取付枠２１の内周壁２２より後方に向かって同じ高さ位置にある。一方、取付枠２１の両側で支持部２４Ａと２４Ｃの中間にある支持部２４Ｂは、その当接面が他の支持部２４Ａ，２４Ｃの当接面よりさらに後方に位置している。これは後述するが、光源基板３０の片割れを後方から取り出すときに干渉を防ぐためである。
【００２５】
また、取付枠２１の外周縁側には、後述する開口枠５０のボルト部５４を通す貫通孔（符号省略）が設けられている。本実施形態では、取付枠２１の例えばフランジ部２３の４隅と両側中間の上下２箇所の計８箇所に、それぞれ開口枠５０のボルト部５４に合致する貫通孔が設けられている。
【００２６】
取付枠２１は、フランジ部２３の貫通孔に通したボルト部の先端にナット５５を螺着させることで、開口枠５０および表示板４０と一体に組み合わせされた状態に固定される。また、取付枠２１のフランジ部２３の表面と表示板４０の外周縁側の裏面との間にパッキン６０が介装されることにより、前面扉２０の内部にある光源基板３０への水の侵入が防止される。
【００２７】
Ｄ．前面扉２０の光源基板３０について
光源基板３０は、後述の表示板４０において情報を表示するために、表示板４０に裏側から光を照射するものである。光源基板３０は、例えば取付枠２１の開口に重なる長方形に形成されている。具体的には光源基板３０は、例えば基板３１の表側に数多のドットをなすＬＥＤ（図示省略）をマトリクス状に実装したものである。また、基板３１の表側には、個々のＬＥＤを格子状に区画して視認性を高めるルーバー３２が設けられている。
【００２８】
基板３１は、一般的なプリント配線基板である。また、ＬＥＤは、発光素子を略砲弾型のモールドに埋め込んだＬＥＤランプに限らず、リード線上に実装された発光素子のみからなるＬＥＤチップであっても良い。また、ＬＥＤの発光色は、カラーであっても単色であっても良い。なお、基板３１の裏側には、電線や信号線等を接続するコネクタ等も設けられており、制御基板や電源基板等に接続されている。
【００２９】
図１２および図１３に示すように、光源基板３０は、取付枠２１の開口内側の後方寄りで表示板４０の裏側に沿わせる位置に支持される。ここで光源基板３０は、表示板４０と平行に対向する状態に配置される。本実施形態では、光源基板３０は上下２つに分割されている。個々の光源基板３０Ａ，３０Ｂは、それぞれ同じ大きさで同様な構成であり、互いに同一平面上に連なるように配置されるが、別々に着脱可能である。なお、各光源基板３０Ａ，３０Ｂを総称するときは、単に光源基板３０と表記する。
【００３０】
光源基板３０の外周縁側の裏面には、スペーサーをなすボス部３３が立設されている。各ボス部３３は、前記取付枠２１にある複数の支持部２４に合致して係合する位置に立設されている。すなわち、各光源基板３０Ａ，３０Ｂごとに、両側中央と両側上下に３個ずつ計６個のボス部３３が立設されている。
【００３１】
ボス部３３は、所定高さの略円筒状あり金属等で形成されている。ボス部３４の基端面には雄ネジが軸方向に突設され、先端面には雌ネジが内部に向かって凹設されている。ボス部３３は、その雄ネジを光源基板３０に穿設された小孔に圧入することで、光源基板３０に立設される。また、ボス部３３の先端面の雌ネジに別のボス部３４の雄ネジを螺合させることで、ボス部３３，３４全体としての高さを適宜調整することができる。
【００３２】
本実施形態では、各光源基板３０Ａ，３０Ｂごとに、両側中央に立設されたボス部３３に別のボス部３４が螺合され、両側中央のボス部３３，３４が、両側上下のボス部３３より２倍の高さとなっている。なお、各ボス部３３，３４は、金属等の導電性を有する材質により形成することで、アースとしての機能も備えるように構成すると良い。
【００３３】
各光源基板３０Ａ，３０Ｂにおいて、両側中央のボス部３３，３４は、それぞれ取付枠２１の支持部２４Ｂに係合する。また、両側上下のうち相対向する側のボス部３３は、それぞれ共通の幅広の支持部２４Ａに係合する。また、両側上下のうち離隔する側のボス部３３は、それぞれ取付枠２１の上下端にある支持部２４Ｃの一方に係合する。
【００３４】
このように、各光源基板３０Ａ，３０Ｂにおいて、両側上下のボス部３３は、それぞれ取付枠２１の内周縁より後方に向かい同じ高さ位置にある支持部２４Ａ，２４Ｃの当接面に係合するが、両側中央のボス部３３，３４は、取付枠２１の開口内側で他の支持部２４Ａ，２４Ｃよりさらに後方に位置する支持部２４Ｂの当接面に係合する。なお、図１６に示すように、支持部２４の当接面には、ボス部３３，３４の先端面の雌ネジに合致する貫通孔が設けられており、各支持部２４ごとに貫通孔よりボス部３３，３４の先端面にネジ止めされる。
【００３５】
Ｅ．前面扉２０の表示板４０について
表示板４０は、各種の情報を表示するものである。表示板４０は、例えば取付枠２１のフランジ部２３の外形に合致した長方形の平板状であり、透光性のある樹脂等で形成されている。表示板４０は、その背面側から光を照射されることにより、各種の情報（例えば文字や図形等）を表示可能に構成されている。
【００３６】
表示板４０での情報の表示は、前述した光源基板３０をなすマトリクス状の個々のＬＥＤの点灯ないし点滅によるドットのパターンとして、文字や図形等を表示することができる。あるいは、表示板４０自体に予め所定の情報を印刷等によって記しておき、表示板４０の裏側から光を照射することにより、所定の情報を浮かび上がらせるような表示であっても構わない。
【００３７】
表示板４０の外周縁側には、後述する開口枠５０のボルト部５４を通す貫通孔（符号省略）が設けられている。本実施形態では、表示板４０の例えば４隅と両側中間の上下２箇所の計８箇所に、それぞれ開口枠５０のボルト部５４に合致する貫通孔が設けられている。表示板４０は、その貫通孔に開口枠５０のボルト部５４を通すことにより、開口枠５０の内側で位置決めされる。
【００３８】
表示板４０は、その外周縁側が開口枠５０に囲まれた状態で、開口枠５０と共に取付枠２１のフランジ部２３に対して固定される。このように表示板４０は、開口枠５０と取付枠２１との間に挟まれるように固定される。なお、本実施形態では、表示板４０の前方を覆うカバーは特になく、表示板４０自体が前面扉２０の最前面における外装の主要部をなしている。
【００３９】
Ｆ．前面扉２０の開口枠５０について
図１および図２に示すように、開口枠５０は、前面扉２０の前側の枠組みをなし、前面扉２０の外周縁側となるものである。開口枠５０は、その内側が大きく開口した枠組み状であり金属等から形成されている。開口枠５０は、前記取付枠２１の外周縁側に前方から被さる大きさの長方形の前面壁５１と、該前面壁５１の４辺より後方に所定幅で立ち上がる周壁５２と、を備えている。開口枠５０は、表示板４０の外周縁側を取り囲む状態で、取付枠２１の外周縁側に前方から一体に組み合わせされる。
【００４０】
前面壁５１には、表示板４０の表側を外部へ露出させる長方形の開口が大きく形成されている。図１２に示すように、開口枠５０における開口の大きさは、その開口周縁５３が表示板４０の表面に重なる位置が、少なくとも本体１１の水切り部１２の当接部１２１と対向する部位まで含まれるように設定されている。すなわち、前面扉２０を閉じたとき、当接部１２１は、表示板４０の外周縁側を後方から支持する取付枠２１のフランジ２３にパッキン６１を介して後方から当接するが、この当接部位は、表示板４０の厚さ方向において開口枠５０の前面壁５１と対向することになる。
【００４１】
図２に示すように、開口枠５０の内側、すなわち前面壁５１の裏側の例えば４隅と両側中間の上下２箇所ずつの計８箇所に、それぞれ後方へ垂直に突出する棒状のボルト部５４が一体に設けられている。各ボルト部５４は、表示板４０やパッキン６０を開口枠５０の内側に位置決めすると共に、取付枠２１のフランジ部２３に組み付けて固定するためのものである。
【００４２】
Ｇ．前面扉２０のパッキン６０について
図１に示すように、パッキン６０は、取付枠２１のフランジ部２３と表示板４０の外周縁側との間に介装されて、前面扉２０の内部における光源基板３０の防水性を確保するものである。パッキン６０は、取付枠２１のフランジ部２３に沿って周回する長方形の枠組み状であり、例えばシリコンゴム等の弾性材質から形成されている。また、パッキン６０の周囲にも、開口枠５０のボルト部５４が合致する位置にボルト部５４を通す貫通孔（符号省略）が設けられている。
【００４３】
＜表示装置１０の作用＞
Ｈ．上記した表示装置１０の作用について説明する。
先ず、前面扉２０を組み立てるには、図１４および図１５に示すように、取付枠２１の開口内側に光源基板３０を取り付ける。このとき、取付枠２１の内周縁側にある各支持部２４に対して、光源基板３０の外周縁側の裏面にあるボス部３３，３４を前方から係合させる。各支持部２４の当接面には、ボス部３３，３４の先端面の雌ネジに合致する貫通孔があり、各支持部２４をボス部３３，３４にネジ止めする。
【００４４】
次いで、表示板４０の外周縁側に被せた開口枠５０を、表示板４０ごと取付枠２１のフランジ部２３に前方から組み付けて一体化する。すなわち、開口枠５０の内側に表示板４０を重ねて、表示板４０の裏面上にパッキン６０も重ねた状態で、さらに取付枠２１のフランジ部２３を重ね合わせる。このとき、開口枠５０の内側より突出したボルト部５４が、各部品の周囲にある貫通孔を通って互いに位置決めされる。そして、フランジ部２３の裏側に突出したボルト部５４の先端にナット５５を螺合させれば、前面扉２０の各部品を重ね合わせた状態で一体に固定することができる。
【００４５】
組み上がった前面扉２０は、その一側端をヒンジ１３によって本体１１の一側面部１１４に開閉可能に連結する。前面扉２０は、ヒンジ１３を回動中心として、他側端を前方に向けて開くことができ、ステー１５によって開いた状態に保持することもできる。本実施形態では、表示装置１０を縦長となる姿勢で使用する場合について説明したが、表示装置１０を横長となる姿勢で使用するときは、ステー１５によって前面扉２０を開いた状態に保持できることが重要となる。
【００４６】
すなわち、表示装置１０を横長となる姿勢で使用する場合、例えばヒンジ１３を設けた前面扉２０の一側端を下側にすると、前面扉２０の上側となる他側端を前に倒すように開けることになる。このとき、前面扉２０をステー１５によって、本体１１の開口面に対して略９０度の角度に開いた状態に保持することができ、前面扉２０が自重で垂下することを防止することができる。なお、ステー取付金具２５を取付枠２１の支持部２４Ｃに設けたことにより、支持部２４Ｃをステー１５の取り付けに活用することができる。
【００４７】
図１２に示すように、前面扉２０を閉じたとき、本体１１の開口周縁にある水切り部１２の当接部１２１が、取付枠２１のフランジ部２３の裏面にパッキン６１を介して当接する。そのため、水切り部１２自体の作用と相俟って、前面扉２０と本体１１との合わせ目から内部に水が浸入することを確実に防止することができる。また、前面扉２０において、取付枠２１のフランジ部２３の表面と表示板４０の外周縁側の裏面との間にパッキン６０が介装されることで、前面扉２０自体の内部における防水性も高めることができる。よって、本表示装置１０は屋外での使用にも適している。
【００４８】
また、水切り部１２の当接部１２１が、取付枠２１のフランジ部２３に当接する部位は、表示板４０の厚さ方向において開口枠５０の前面壁５１と対向している。すなわち、開口枠５０の開口周縁５３が表示板４０の表面に重なる位置を、少なくとも当接部１２１と対向する部位まで含ませている。これにより、表示板４０の外周縁側を強固に挟持することが可能となり、開口枠５０の開口周縁５３等に歪みが生じ難くなり、前面扉２０における高い強度を得ることができる。
【００４９】
ところで、光源基板３０はＬＥＤの劣化等により交換を要するが、本実施形態では、取付枠２１から光源基板３０を容易に取り外すことが可能である。すなわち、図１６において、例えば下側の光源基板３０Ｂを交換する場合、同図（ａ）に示すように、各支持部２４の当接面をボス部３３，３４に固定するネジを外す。次いで、図１６（ｂ）に示すように、光源基板３０Ｂを下方向へずらすと、取付枠２１の両側の支持部２４Ａ，２４Ｂに係合していたボス部３３，３４は下方に外れる。
【００５０】
光源基板３０Ｂは、その下端縁が取付枠２１の下側の支持部２４Ｃが連なる内周壁２２に当接するまで移動し、光源基板３０Ｂの両側上端にあるボス部３３は支持部２４Ａから下方に外れ、光源基板３０Ｂの両側中間にあるボス部３３，３４も支持部２４Ｂから下方に外れる。そして、光源基板３０Ｂの両側中間にあるボス部３３，３４のうち上側のボス部３４だけ取り外す。これにより、図１６（ｃ）に示すように、光源基板３０Ｂの下端縁を支点として上端縁を後方へ引き出すように傾けることができる。
【００５１】
図１６においては、各光源基板３０Ａ，３０Ｂごとに６箇所ずつある各ボス部３３，３４のうち、全部ではなく一部として両側中央のボス部３３，３４のさらに一部（上側のボス部３４）だけを取り外す例を示したが、他の箇所のボス部３３も容易に取り外せるように構成しても良い。また、他の箇所のボス部３３も、複数段の高さとなるように複数のボス部３３，３４を組み合わせても良い。この場合、支持部２４の当接面の高さは、ボス部３３，３４全体の高さに合わせて設定される。図１６の構成によれば、光源基板３０を取り外すときに、各ボス部３３，３４を外す数を最小限（１つだけ）とすることができる。
【００５２】
図１６（ｃ）に示すように、光源基板３０Ｂを傾けると、その両側中間が支持部２４Ｂに干渉する虞があるが、支持部２４Ｂの当接面の高さは他の支持部２４Ａよりも高く設定されており、しかも、上側のボス部３４が外された分だけ、支持部２４Ｂの当接面と残されたボス部３３との間に空間が生じる。そのため、光源基板３０Ｂの両側中間のボス部３３が支持部２４Ｂと干渉することなく、光源基板３０Ｂを傾けて斜め後方に引き出すことが可能となる。なお、もう一方の光源基板３０Ａを外す場合も同様な作業となる。
【００５３】
このように、本表示装置１０によれば、前面扉２０における光源基板３０の交換作業も容易に行うことが可能となる。これに対して、図１７に示す従来の前面扉２で光源基板４を交換する場合には、取付枠３から光源基板４ごと一対の取付金具５，５を外すだけでなく、光源基板４からも各取付金具５を外さなければならず、光源基板４の交換作業が煩雑であり面倒であった。
【００５４】
なお、光源基板３０のＬＥＤは、制御基板によって点灯制御されるが、例えば本体１１側の関連部品１６，１７に設けた光センサによって、外部の明るさに応じて調光したり表示内容を変更することが考えられる。ここで本体１１側の光センサまで外部からの光が届くように、例えば光源基板３０には光を通す貫通孔を形成しておくと良い。
【００５５】
Ｉ．以上、本実施形態の表示装置１０によれば、次のような効果を得ることができる。
先ず、表示装置１０では、取付枠２１の内周縁側に、光源基板３０の外周縁側を前方から係合させて、光源基板３０を表示板４０の裏側に沿わせる位置に支持する支持部２４を設けたから、光源基板３０を取付枠２１に対して、図１７に示す従来の取付金具５等の嵩張る別部品を用いることなく、簡易な構成で容易に支持することができる。従って、表示装置１０全体の部品点数や組付工数が削減され、構成の簡素化や薄型化を実現することができる。
【００５６】
また、支持部２４は、取付枠２１の内周縁側に沿って光源基板３０の外周縁側を囲む位置に複数設けたから、光源基板３０を安定した状態で確実に支持することができる。また、光源基板３０は、その外周縁側の裏面がスペーサーであるボス部３３，３４を介して支持部２４に係合された状態に支持される。これにより、図１６に示したように、光源基板３０を取付枠２１の後方より取り外すことが可能となり、光源基板３０の交換作業を容易に行うことができる。
【００５７】
すなわち、各ボス部３３，３４のうち少なくとも何れか１つの全部または一部は、光源基板３０の外周縁側の裏面に対して着脱可能であり、各ボス部３３，３４の全部または一部を取り外した状態で、光源基板３０を取付枠２１の内周縁側より位置をずらして後方から着脱可能となる。特に本実施形態では、各光源基板３０Ａ，３０Ｂごとに、それぞれ両側中間のボス部３３，３４を高くし、その分だけ支持部２４Ｂの当接面の高さも高くしたことにより、各ボス部３３，３４を外す数を最小限とし、光源基板３０をいっそう容易に取り外すことができる。
【００５８】
また、表示板４０は、取付枠２１の外周縁側に前方から支持され、開口枠５０は、表示板４０の外周縁側に被せた状態で取付枠２１の外周縁側に前方から組み付けられる。これにより、取付枠２１、光源基板３０、表示板４０、開口枠５０を、互いに重ね合わせた状態で一体に固定することが可能となる。
【００５９】
さらに、本体１１の開口周縁に、該開口周縁の周囲からの水を切り返して内部への進入を防ぐ水切り部１２があるため、表示装置１０を屋外で使用するための防水性も確保することができる。特に水切り部１２は、表示板４０の外周縁側を後方から支持する取付枠２１の外周縁側に対して後方から当接させる当接部１２１を備え、開口枠５０の開口周縁５３が表示板４０の表面に重なる位置を、少なくとも当接部１２１と対向する部位まで含ませている。これにより、前面扉２０における高い強度を得ることができる。
【００６０】
以上、実施形態を図面によって説明してきたが、具体的な構成はこれらの実施形態に限られるものではなく、本発明の要旨を逸脱しない範囲における変更や追加があっても本発明に含まれる。例えば、本体１１や前面扉２０の形状は図示したものに限定されることはない。また、表示装置１０は、縦長となる姿勢での使用に限らず、横長となる姿勢でも使用可能である。
【００６１】
また、本実施形態では、取付枠２１の支持部２４に対して、光源基板３０の外周縁側をボス部３３（３４）を介して係合させたが、光源基板３０の外周縁側を直に当接させて係合するように構成しても構わない。この場合、部品点数をさらに削減するという利点が、光源基板３０を交換しずらいという不自由さを上回って評価されることもある。
【産業上の利用可能性】
【００６２】
本発明は、例えば屋外に設置する照明ディスプレイ等と、様々な分野における表示装置として広く利用することができる。
【符号の説明】
【００６３】
１０…表示装置
１１…本体
２０…前面扉
２１…取付枠
２２…内周壁
２３…フランジ部
２４…支持部
３０…光源基板
３１…基板
３２…ルーバー
３３…ボス部
４０…表示板
５０…開口枠
５１…前面壁
５２…周壁
５３…開口周縁
６０…パッキン
６１…パッキン
【図１】
2020181130.tif 000003
【図２】
2020181130.tif 000004
【図３】
2020181130.tif 000005
【図４】
2020181130.tif 000006
【図５】
2020181130.tif 000007
【図６】
2020181130.tif 000008
【図７】
2020181130.tif 000009
【図８】
2020181130.tif 000010
【図９】
2020181130.tif 000011
【図１０】
2020181130.tif 000012
【図１１】
2020181130.tif 000013
【図１２】
2020181130.tif 000014
【図１３】
2020181130.tif 000015
【図１４】
2020181130.tif 000016
【図１５】
2020181130.tif 000017
【図１６】
2020181130.tif 000018
【図１７】
2020181130.tif 000019